(57)【要約】【課題】ガス化炉の要求負荷が変動した非定常状態においても、安定した空気供給をする。【解決手段】ガスタービン５の空気圧縮機5-2から抽気した空気ａを、入口案内ベーン6-1を介して昇圧機6に取り込む。昇圧機6にて圧縮した空気を、空気供給弁2を介してガス化炉1に供給している。空気圧力制御器100は、フィードバック制御による入口案内ベーン6-1の開度制御の外に、ガス化炉負荷指令ＧＩＤが変化すると、この変化に応じて直ちに入口案内ベーン6-1の開度を先行的に制御している。【選択図】図１
2007211705.tif 000002
【特許請求の範囲】
【請求項１】
石炭と空気が供給されると石炭ガスを生成するガス化炉と、
前記ガス化炉にて生成された石炭ガスを精製した燃料ガスを燃焼して駆動するガスタービンと、
前記ガスタービンの空気圧縮機から抽気した空気を、入口案内ベーンを介して取り込み、取り込んだ空気を圧縮して吐出する昇圧機と、
前記ガス化炉の要求負荷に応じた流量となるよう開度が調整される弁であって、前記昇圧機から吐出された空気を前記ガス化炉に供給する空気供給経路に介装された空気供給弁とを有するガス化複合発電設備において、
前記昇圧機の入口側での空気の温度を検出する入口温度計と、
前記昇圧機の入口側での空気の圧力を検出する入口圧力計と、
前記入口案内ベーンの開度を調整する空気圧力制御器とを有し、
前記空気圧力制御器は、
前記ガス化炉の要求負荷を示すガス化炉負荷指令と、前記入口温度計にて検出した入口温度と、前記入口圧力計で検出した入口圧力とから、前記要求負荷を満たすために必要な空気体積流量を求める空気体積流量演算手段と、
前記ガス化炉負荷指令から前記要求負荷を満たすために必要な空気の設定圧力を求めると共に、この設定圧力と前記入口圧力から昇圧機圧力比を求める圧力比演算手段と、
前記空気体積流量と前記昇圧機圧力比をパラメータとして、空気体積流量と昇圧機圧力比を満足する前記入口案内ベーンの開度を設定する関数が予め設定されており、前記空気体積流量と前記昇圧機圧力比が入力されると前記関数を参照して入口案内ベーンの開度を示す先行開度指令を出力する先行開度指令演算部とを有し、
前記先行開度指令で示す開度となるように、前記入口案内ベーンの開度を制御することを特徴とする、ガス化複合発電システムにおける空気圧力制御装置。
【請求項２】
石炭と空気が供給されると石炭ガスを生成するガス化炉と、
前記ガス化炉にて生成された石炭ガスを精製した燃料ガスを燃焼して駆動するガスタービンと、
前記ガスタービンの空気圧縮機から抽気した空気を、入口案内ベーンを介して取り込み、取り込んだ空気を圧縮して吐出する昇圧機と、
前記ガス化炉の要求負荷に応じた流量となるよう開度が調整される弁であって、前記昇圧機から吐出された空気を前記ガス化炉に供給する空気供給経路に介装された空気供給弁とを有するガス化複合発電設備において、
前記昇圧機の入口側での空気の温度を検出する入口温度計と、
前記昇圧機の入口側での空気の圧力を検出する入口圧力計と、
前記入口案内ベーンの開度を調整する空気圧力制御器とを有し、
前記空気圧力制御器は、
前記ガス化炉の要求負荷を示すガス化炉負荷指令から、前記要求負荷を満たすために必要な空気重量流量を求める空気重量流量演算部と、
前記入口温度計にて検出した入口温度と、前記入口圧力計で検出した入口圧力とから、入口空気密度を検出する入口空気密度演算部と、
前記空気重量流量を前記入口空気密度で除算することにより、空気体積流量を演算する第１の割算部と、
前記ガス化炉負荷指令から前記要求負荷を満たすために必要な空気の設定圧力を求める設定圧力演算部と、
前記設定圧力を前記入口圧力で除算することにより昇圧機圧力比を求める第２の割算部と、
前記空気体積流量と前記昇圧機圧力比をパラメータとして、空気体積流量と昇圧機圧力比を満足する前記入口案内ベーンの開度を設定する関数が予め設定されており、前記空気体積流量と前記昇圧機圧力比が入力されると前記関数を参照して入口案内ベーンの開度を示す先行開度指令を出力する先行開度指令演算部とを有し、
前記先行開度指令で示す開度となるように、前記入口案内ベーンの開度を制御することを特徴とする、ガス化複合発電システムにおける空気圧力制御装置。
【請求項３】
請求項１または請求項２の何れか一項において、
前記昇圧機の出口側での空気の圧力を検出する出口圧力計を更に備え、
前記空気圧力制御器は、
前記出口圧力計で検出した出口圧力と、前記設定圧力との偏差をゼロとするフィードバック開度指令を演算するフィードバック開度指令演算手段を有し、
前記先行開度指令と前記フィードバック開度指令とを加算した指令で示す開度となるように、前記入口案内ベーンの開度を制御することを特徴とする、ガス化複合発電システムにおける空気圧力制御装置。
【請求項４】
石炭と空気が供給されると石炭ガスを生成するガス化炉と、
前記ガス化炉にて生成された石炭ガスを精製した燃料ガスを燃焼して駆動するガスタービンと、
前記ガスタービンの空気圧縮機から抽気した空気を、入口案内ベーンを介して取り込み、取り込んだ空気を圧縮して吐出する昇圧機と、
前記ガス化炉の要求負荷に応じた流量となるよう開度が調整される弁であって、前記昇圧機から吐出された空気を前記ガス化炉に供給する空気供給経路に介装された空気供給弁とを有するガス化複合発電設備において、
前記入口案内ベーンの開度を調整する空気圧力制御器を有し、
前記空気圧力制御器は、
前記ガス化炉の要求負荷を示すガス化炉負荷指令と、前記要求負荷を満たすために必要な前記入口案内ベーンの開度を設定する関数が予め設定されており、前記ガス化炉負荷指令が入力されると前記関数を参照して入口案内ベーンの開度を示す先行開度指令を出力する先行開度指令演算部を有し、
前記先行開度指令で示す開度となるように、前記入口案内ベーンの開度を制御することを特徴とする、ガス化複合発電システムにおける空気圧力制御装置。
【請求項５】
請求項４において、
前記昇圧機の出口側での空気の圧力を検出する出口圧力計を更に備え、
前記空気圧力制御器は、
前記出口圧力計で検出した出口圧力と、前記設定圧力との偏差をゼロとするフィードバック開度指令を演算するフィードバック開度指令演算手段を有し、
前記先行開度指令と前記フィードバック開度指令とを加算した指令で示す開度となるように、前記入口案内ベーンの開度を制御することを特徴とする、ガス化複合発電システムにおける空気圧力制御装置。
【発明の詳細な説明】
【技術分野】
【０００１】
本発明は、ガス化複合発電システムにおける空気圧力制御装置に関し、ガス化炉の負荷が変動した非定常状態においても、昇圧機からガス化炉に供給している空気の圧力を安定化させるように工夫したものである。
【背景技術】
【０００２】
既存の微粉炭焚きの石炭火力発電に比べて、発電効率や環境性に優れた発電技術として、石炭ガス化複合発電（ＩＧＣＣ：Integrated Coal Gasification Combined Cycle）システムがある。
【０００３】
ここで石炭ガス化複合発電システムの概要を、図４を参照して説明する。図４に示すように、ガス化炉１には、空気供給弁２を介して空気ａが供給されると共に、フィーダ３により石炭（微粉炭）ｂが供給される。このガス化炉１は、石炭ｂを酸化剤である空気ａにより燃焼させることにより、石炭ガスｃを生成する。
【０００４】
生成された石炭ガスｃはガス精製設備４にて、冷却・脱塵・脱硫等の精製処理が行われて燃料ガスｄとなる。この燃料ガスｄは、ガスタービン５の燃焼器５−１に供給される。燃焼器５−１では、空気圧縮機５−２にて圧縮された空気と燃料ガスｄとを燃焼させて、高温・高圧の燃焼ガスを発生させる。この燃焼ガスがタービン５−３に供給されてタービン５−３が回転駆動する。
【０００５】
空気圧縮機５−２から抽気した空気ａは昇圧機６にて昇圧されてから、ガス化炉１に供給される。昇圧機６には入口案内ベーン６−１が備えられている。また、昇圧機６には、昇圧機出口から昇圧機入口に空気をフィードバックする再循環配管６−２が備えられており、この再循環配管６−２には再循環弁６−３が介装されている。
【０００６】
圧縮機６は、空気圧縮機５−２から抽気した空気を、入口案内ベーン６−１を介して取り込む。そして、取り込んだ空気を圧縮して吐出する。圧縮機６から吐出された圧縮した空気は、空気供給弁２が介装された空気経路を介してガス化炉１に供給される。なお、空気供給弁２の開度は、後述するように、ガス化炉１の負荷に応じて制御されている。
【０００７】
一方、ガスタービン５のタービン５−３から排出された排ガスｅは、排熱回収ボイラ７により熱回収され、この排熱回収ボイラ７では蒸気ｆを発生する。この蒸気ｆは蒸気タービン８に供給されてこの蒸気タービン８を回転する。
【０００８】
ガスタービン５のタービン５−３及び蒸気タービン８の回転により、発電機（図示省略）を回転させることにより発電を行う。
【０００９】
次に、このような構成となっているガス化複合発電システムにおける、従来の空気圧力制御装置を説明する。
【００１０】
従来では、昇圧機６の出口から吐出されてガス化炉１に供給する空気ａの圧力を検出する。そして、検出した圧力が、予め決めた一定値になるように、入口案内ベーン６−１の開度を調整していた。
または、検出した空気ａの圧力が、ガス化炉負荷に応じた設定圧力（設定値）になるように、入口案内ベーン６−１の開度を調整していた。なお「ガス化炉負荷」とは、ガス化炉１に投入される燃料要求量に応じた負荷を意味する。
【００１１】
つまり、昇圧機６の出口から吐出した空気ａの圧力が、一定値または設定値になるように、入口案内ベーン６−１の開度をフィードバック制御していた。
換言すると、昇圧機６の出口側での空気ａの空気圧力が、一定値（または設定値）から変動したら、この変動を検出し、出口側での空気圧力が一定値（または設定値）に戻るように、入口案内ベーン６−１の開度を調整して入口側から昇圧機６に取り込まれる空気量を調整するように、フィードバック制御をしていた。
【００１２】
なお、空気ａの流量が小流量のときには、昇圧機６のサージ防止を図るため、再循環弁６−３の弁開度を制御して、昇圧機６の出口から入口に戻る再循環空気量の調整をしていた。
【００１３】
【特許文献１】特開平９−９６２２７
【特許文献２】特開平６−２８８２６２
【発明の開示】
【発明が解決しようとする課題】
【００１４】
ところでガス化炉１の負荷（ガス化炉負荷）が変動したときには、この変動に併せて空気供給弁２の開度と、フィーダ３による石炭ｂの供給量が調整されている。
例えばガス化炉負荷が増加したときには、フィーダ３からガス化炉１に供給される石炭ｂの量が増加するようにフィーダ３が制御されると共に、ガス化炉１に供給される空気量が増加するように空気供給弁２の開度が制御される。
逆に、ガス化炉負荷が減少したときには、フィーダ３からガス化炉１に供給される石炭ｂの量が減少するようにフィーダ３が制御されると共に、ガス化炉１に供給される空気量が減少するように空気供給弁２の開度が制御される。
【００１５】
ガス化炉負荷が増加して空気供給弁２の開度が大きくなり、ガス化炉１に供給される空気ａの量が増加すると、昇圧機６の出口側での空気圧が低下する。従来の制御手法では、この空気圧低下を検出してから、入口案内ベーン６−１を開くようにフィードバック制御して、昇圧機６の出口側での空気圧を、一定値（または設定値）に戻していた。
また、ガス化炉負荷が減少して空気供給弁２の開度が小さくなり、ガス化炉１に供給される空気ａの量が減少すると、昇圧機６の出口側での空気圧が上昇する。従来の制御手法では、この空気圧上昇を検出してから、入口案内ベーン６−１を絞るようにフィードバック制御して、昇圧機６の出口側での空気圧を、一定値（または設定値）に戻していた。
【００１６】
このように従来では、ガス化炉負荷が変動したときには、このガス化炉負荷の変動により昇圧機６の出口側での空気圧が実際に変動してから、入口案内ベーン６−１のフィードバック制御をしていたため、ガス化炉負荷の変動に対して、昇圧機６の出口側での空気圧の制御の追従が遅れていた。
【００１７】
この結果、ガス化炉負荷が変動した非定常時には、この変動に応じてガス化炉１が必要とする空気量（要求空気量）に対して、実際にガス化炉１に供給される空気量（供給空気量）が、過少になったり（ガス化炉負荷が増加したとき）、過大になったり（ガス化炉負荷が減少したとき）することがあり、一時的にガス化炉１への供給空気量が不足（または過剰）になり、空気供給が不安定になる可能性があった。
【００１８】
本発明は、上記従来技術に鑑み、ガス化炉の負荷が変動した非定常状態においても、安定した圧力でガス化炉に空気を供給することができる、ガス化複合発電システムにおける空気圧力制御装置を提供することを目的とする。
【課題を解決するための手段】
【００１９】
上記課題を解決する本発明の構成は、
石炭と空気が供給されると石炭ガスを生成するガス化炉と、
前記ガス化炉にて生成された石炭ガスを精製した燃料ガスを燃焼して駆動するガスタービンと、
前記ガスタービンの空気圧縮機から抽気した空気を、入口案内ベーンを介して取り込み、取り込んだ空気を圧縮して吐出する昇圧機と、
前記ガス化炉の要求負荷に応じた流量となるよう開度が調整される弁であって、前記昇圧機から吐出された空気を前記ガス化炉に供給する空気供給経路に介装された空気供給弁とを有するガス化複合発電設備において、
前記昇圧機の入口側での空気の温度を検出する入口温度計と、
前記昇圧機の入口側での空気の圧力を検出する入口圧力計と、
前記入口案内ベーンの開度を調整する空気圧力制御器とを有し、
前記空気圧力制御器は、
前記ガス化炉の要求負荷を示すガス化炉負荷指令と、前記入口温度計にて検出した入口温度と、前記入口圧力計で検出した入口圧力とから、前記要求負荷を満たすために必要な空気体積流量を求める空気体積流量演算手段と、
前記ガス化炉負荷指令から前記要求負荷を満たすために必要な空気の設定圧力を求めると共に、この設定圧力と前記入口圧力から昇圧機圧力比を求める圧力比演算手段と、
前記空気体積流量と前記昇圧機圧力比をパラメータとして、空気体積流量と昇圧機圧力比を満足する前記入口案内ベーンの開度を設定する関数が予め設定されており、前記空気体積流量と前記昇圧機圧力比が入力されると前記関数を参照して入口案内ベーンの開度を示す先行開度指令を出力する先行開度指令演算部とを有し、
前記先行開度指令で示す開度となるように、前記入口案内ベーンの開度を制御することを特徴とする。
【００２０】
また本発明の構成は、
石炭と空気が供給されると石炭ガスを生成するガス化炉と、
前記ガス化炉にて生成された石炭ガスを精製した燃料ガスを燃焼して駆動するガスタービンと、
前記ガスタービンの空気圧縮機から抽気した空気を、入口案内ベーンを介して取り込み、取り込んだ空気を圧縮して吐出する昇圧機と、
前記ガス化炉の要求負荷に応じた流量となるよう開度が調整される弁であって、前記昇圧機から吐出された空気を前記ガス化炉に供給する空気供給経路に介装された空気供給弁とを有するガス化複合発電設備において、
前記昇圧機の入口側での空気の温度を検出する入口温度計と、
前記昇圧機の入口側での空気の圧力を検出する入口圧力計と、
前記入口案内ベーンの開度を調整する空気圧力制御器とを有し、
前記空気圧力制御器は、
前記ガス化炉の要求負荷を示すガス化炉負荷指令から、前記要求負荷を満たすために必要な空気重量流量を求める空気重量流量演算部と、
前記入口温度計にて検出した入口温度と、前記入口圧力計で検出した入口圧力とから、入口空気密度を検出する入口空気密度演算部と、
前記空気重量流量を前記入口空気密度で除算することにより、空気体積流量を演算する第１の割算部と、
前記ガス化炉負荷指令から前記要求負荷を満たすために必要な空気の設定圧力を求める設定圧力演算部と、
前記設定圧力を前記入口圧力で除算することにより昇圧機圧力比を求める第２の割算部と、
前記空気体積流量と前記昇圧機圧力比をパラメータとして、空気体積流量と昇圧機圧力比を満足する前記入口案内ベーンの開度を設定する関数が予め設定されており、前記空気体積流量と前記昇圧機圧力比が入力されると前記関数を参照して入口案内ベーンの開度を示す先行開度指令を出力する先行開度指令演算部とを有し、
前記先行開度指令で示す開度となるように、前記入口案内ベーンの開度を制御することを特徴とする。
【００２１】
また本発明の構成は、
前記昇圧機の出口側での空気の圧力を検出する出口圧力計を更に備え、
前記空気圧力制御器は、
前記出口圧力計で検出した出口圧力と、前記設定圧力との偏差をゼロとするフィードバック開度指令を演算するフィードバック開度指令演算手段を有し、
前記先行開度指令と前記フィードバック開度指令とを加算した指令で示す開度となるように、前記入口案内ベーンの開度を制御することを特徴とする。
【００２２】
また本発明の構成は、
石炭と空気が供給されると石炭ガスを生成するガス化炉と、
前記ガス化炉にて生成された石炭ガスを精製した燃料ガスを燃焼して駆動するガスタービンと、
前記ガスタービンの空気圧縮機から抽気した空気を、入口案内ベーンを介して取り込み、取り込んだ空気を圧縮して吐出する昇圧機と、
前記ガス化炉の要求負荷に応じた流量となるよう開度が調整される弁であって、前記昇圧機から吐出された空気を前記ガス化炉に供給する空気供給経路に介装された空気供給弁とを有するガス化複合発電設備において、
前記入口案内ベーンの開度を調整する空気圧力制御器を有し、
前記空気圧力制御器は、
前記ガス化炉の要求負荷を示すガス化炉負荷指令と、前記要求負荷を満たすために必要な前記入口案内ベーンの開度を設定する関数が予め設定されており、前記ガス化炉負荷指令が入力されると前記関数を参照して入口案内ベーンの開度を示す先行開度指令を出力する先行開度指令演算部を有し、
前記先行開度指令で示す開度となるように、前記入口案内ベーンの開度を制御することを特徴とする。
【００２３】
また本発明の構成は、
前記昇圧機の出口側での空気の圧力を検出する出口圧力計を更に備え、
前記空気圧力制御器は、
前記出口圧力計で検出した出口圧力と、前記設定圧力との偏差をゼロとするフィードバック開度指令を演算するフィードバック開度指令演算手段を有し、
前記先行開度指令と前記フィードバック開度指令とを加算した指令で示す開度となるように、前記入口案内ベーンの開度を制御することを特徴とする。
なお、本発明は、起動過程においてガスタービンが灯油燃料にて運転されている場合にも適用できる。
【発明の効果】
【００２４】
本発明によれば、ガス化炉負荷指令が変更されると、この変更値に応じて直ちに値が変化する先行開度指令を求め、この先行開度指令に基づき、昇圧機の入口案内ベーンの開度制御をする。この結果、昇圧機の出口側での空気の圧力と設定圧力との間に実際に差が生ずるのに先行して、入口案内ベーンの開度制御をすることができるため、ガス化炉の負荷が変動した非定常状態においても、昇圧機からガス化炉に供給している空気の圧力を安定化して、安定した空気の供給ができる。
【発明を実施するための最良の形態】
【００２５】
以下に、本発明を実施するための最良の形態を、実施例に基づき詳細に説明する。
【実施例１】
【００２６】
図１は本発明の実施例１に係る空気圧力制御装置を適用した、ガス化複合発電システムを示す。ガス化複合発電システム自体のシステム構成は、図４に示す従来技術と同じであるため、同一機能を果たす部分には同じ符号を付し、重複する説明は省略する。
【００２７】
図１に示すように、空気圧縮機５−２から昇圧機６に空気ａを供給する空気経路には、入口温度計５１と、入口圧力計５２が備えられている。入口温度計５１は、昇圧機６の入口側での空気ａの温度（入口温度）Ｔ１を検出し、入口圧力計５２は、昇圧機６の入口側での空気ａの圧力（入口圧力）Ｐ１を検出する。
【００２８】
昇圧機６から空気供給弁２を介してガス化炉１に空気ａを供給する空気経路には、出口圧力計５３が備えられている。出口圧力計５３は、昇圧機６の出口側での空気ａの圧力（出口圧力）Ｐ２を検出する。
【００２９】
ガス化炉負荷指令器６０は、ガス化炉負荷指令ＧＩＤ（Gasifier Input Demand）を出力する。ガス化炉負荷指令ＧＩＤの値は、ガス化炉１とガスタービン５とが協調運転しているときには、ガスタービン５の負荷に対応した値となっており、協調運転していないときには、操作者により設定される。
【００３０】
ガス化炉負荷指令ＧＩＤはガス化炉１の要求負荷を示すものである。このガス化炉負荷指令ＧＩＤが大きくなったときには、フィーダ３によりガス化炉１に供給される石炭ｂの量が増加すると共に、空気供給弁２の開度が大きくなりガス化炉１に供給される空気ａの空気量が増加する。一方、ガス化炉負荷指令ＧＩＤが小さくなったときには、フィーダ３によりガス化炉１に供給される石炭ｂの量が減少すると共に、空気供給弁２の開度が小さくなりガス化炉１に供給される空気ａの空気量が減少する。この制御自体は、図示しない制御部より、従来から行われていたものである。
【００３１】
空気圧力制御器１００は、ガス化炉負荷指令ＧＩＤ、入口温度計５１で検出した入口温度Ｔ１、入口圧力計５２で検出した入口圧力Ｐ１、出口圧力計５３で検出した出口圧力Ｐ２が入力されると、これらデータを基に、入口案内ベーン６−１の開度を制御する。
【００３２】
ここで、空気圧力制御器１００の機能構成と制御動作を、図２を参照して説明する。この空気圧力制御器１００の空気重量流量演算部１０１には、ガス化炉負荷指令ＧＩＤと空気要求量（ガス化炉１が要求する空気重量）との関係を示す関数が予め設定されている。この関数は、ガス化炉１の特性によって予め決まっている。そして、空気重量流量演算部１０１は、ガス化炉負荷指令ＧＩＤが入力されると、前記関数を参照して、ガス化炉負荷指令ＧＩＤの値に応じた値となっている空気重量流量Ｆ１を求めて出力する。この空気重量流量Ｆ１は、ガス化炉１の要求負荷を満たすに必要な空気重量流量である。
【００３３】
入口空気密度演算部１０２は、入口温度計５１で検出した入口温度Ｔ１と、入口圧力計５２で検出した入口圧力Ｐ１を、下式（１）に代入することにより、昇圧機６の入口での空気密度を示す入口空気密度γを求めて出力する。
γ（Ｐ１，Ｔ１）＝１．２９×（Ｐ１／Ｐａｔｍ）×（２／３（２７３＋Ｔ１））
ただし、Ｐａｔｍは標準気圧である。
【００３４】
割算部１０３は、空気重量流量Ｆ１を入口空気密度γで除算することにより、空気体積流量Ｆ２（＝Ｆ１／γ）を求めて出力する。
【００３５】
設定圧力演算部１０４には、ガス化炉負荷指令ＧＩＤと昇圧機６の出口側での設定圧力との関係を示す関数が予め設定されている。この関数は、ガス化炉１の特性によって予めきまっている。そして、設定圧力演算部１０４は、ガス化炉負荷指令ＧＩＤが入力されると、前記関数を参照し、ガス化炉負荷指令ＧＩＤの値に応じた値となっている設定圧力Ｐ３を求めて出力する。この設定圧力Ｐ３は、ガス化炉１の要求負荷を満たすために必要な空気の圧力（設定圧力）である。
【００３６】
本例では、設定圧力Ｐ３は、前記関数を参照してガス化炉負荷指令ＧＩＤの値に応じて変動するが、ガス化炉１をガスタービン５と協調運転しないときなどでは、設定圧力Ｐ３の値を、予め決めた一定値とすることもある。
【００３７】
割算部１０５は、設定圧力演算部１０４から出力された設定圧力Ｐ３を、入口圧力計５２で検出した入口圧力Ｐ１で除算することにより、昇圧機圧力比Ｐ３／Ｐ１を求めて出力する。
【００３８】
先行開度指令演算部１０６は、空気体積流量Ｆ２と圧力比Ｐ３／Ｐ１をパラメータとして、両パラメータ値（Ｆ２の値と、Ｐ３／Ｐ１の値）を満足するように、昇圧機６の入口案内ベーン６−１の開度（ＩＧＶ開度）を決定する関数が予め設定されている。この関数は、昇圧機６の特性によって予め決まっている。そして、先行開度指令演算部１０６は、空気体積流量Ｆ２と圧力比Ｐ３／Ｐ１が入力されると、両パラメータ値（Ｆ２の値と、Ｐ３／Ｐ１の値）を満足するＩＧＶ開度を決定し、この決定したＩＧＶ開度を示す先行開度指令αを出力する。
【００３９】
なお、図２中に示すように、先行開度指令演算部１０６のブロック中には、入力案内ベーン（ＩＧＶ）６の開度が１００％と５０％と０％の特性のみを図示しているが、実際には、例えば１％毎のＩＧＶ開度の特性が記憶・設定されている。
【００４０】
偏差演算部１０７は設定圧力Ｐ３と、出口圧力計５３で検出した出口圧力Ｐ２との偏差を求めて、偏差圧力ＰΔを出力する。
比例・積分演算部１０８は、偏差圧力ＰΔを比例・積分演算してフィードバック開度指令βを出力する。
【００４１】
加算部１０９は、先行開度指令演算部１０６から出力された先行開度指令αと、フィードバッグ開度指令βを加算して、開度指令θを出力する。
入口案内ベーン６−１は、開度指令θで示す開度になるように、開度が調整される。
【００４２】
このとき、先行開度指令αは、ガス化炉負荷指令ＧＩＤの値が変化すると、直ちに、このＧＩＤの変化に対応する値だけ変化する。
一方、フィードバック開度指令βは、ガス化炉負荷指令ＧＩＤの値が変化することに伴い設定圧力Ｐ３が変化したときに、昇圧機６の出口側の空気圧力である出口圧力Ｐ２と、変化した設定圧力Ｐ３との間に実際に圧力差が発生してから、この圧力差に応じた値だけ変化する。
【００４３】
したがって、ガス化炉負荷指令ＧＩＤが変化したときには、開度指令θのうち、先行開度指令αの制御要素により先行的に入口案内ベーン６−１の開度調整がされる。この結果、ガス化炉負荷指令ＧＩＤの値が変化した非定常状態においても、入口案内ベーン６−１の開度が迅速に最適開度に変更される結果、非定常状態においても、昇圧機６からガス化炉１への空気供給を安定して行うことができる。つまり、非定常状態においても、過不足なく昇圧機６からガス化炉１に最適量の空気を供給することができる。
【００４４】
なお上記実施例では、先行開度指令αとフィードバック開度指令βを加算した開度指令θにより入口案内ベーン６−１の開度を制御していたが、先行開度指令αのみで入口案内ベーン６−１の開度制御をするようにしてもよい。
ちなみに従来では、フィードバック開度指令βのみで、入口案内ベーン６−１の開度制御をしていた。
【実施例２】
【００４５】
次に本発明の実施例２に係る空気圧力制御装置を適用した、ガス化複合発電システムを、図３を参照して説明する。
【００４６】
実施例２の空気圧力制御器１００Ａの先行開度指令演算部１５０には、ガス化炉負荷指令ＧＩＤと、このガス化炉負荷指令ＧＩＤが表すガス化炉負荷にてガス化炉１を運転するのに必要な空気を昇圧機６から供給することができる入口案内ベーン６−１の開度（ＩＧＶ開度）を示す関数が予め設定されている。この先行開度指令演算部１５０は、ガス化炉負荷指令ＧＩＤが入力されると、前記関数を参照して、このガス化炉負荷指令ＧＩＤに対応するＩＧＶ開度を先行開度指令εとして出力する。
【００４７】
偏差演算部１０７は設定圧力Ｐ３と、出口圧力計５３で検出した出口圧力Ｐ２との偏差を求めて、偏差圧力ＰΔを出力する。
比例・積分演算部１０８は、偏差圧力ＰΔを比例・積分演算してフィードバック開度指令βを出力する。
【００４８】
加算部１０９は、先行開度指令演算部１５０から出力された先行開度指令εと、フィードバッグ開度指令βを加算して、開度指令θを出力する。
入口案内ベーン６−１は、開度指令θで示す開度になるように、開度が調整される。
【００４９】
このとき、先行開度指令εは、ガス化炉負荷指令ＧＩＤの値が変化すると、直ちに、このＧＩＤの変化に対応する値だけ変化する。
一方、フィードバック開度指令βは、ガス化炉負荷指令ＧＩＤの値が変化することに伴い設定圧力Ｐ３が変化したときに、昇圧機６の出口側の実際の空気圧力である出口圧力Ｐ２と、変化した設定圧力Ｐ３との間に実際に圧力差が発生してから、この圧力差に応じた値だけ変化する。
【００５０】
したがって、ガス化炉負荷指令ＧＩＤが変化したときには、開度指令θのうち、先行開度指令εの制御要素により先行的に入口案内ベーン６−１の開度調整がされる。この結果、ガス化炉負荷指令ＧＩＤの値が変化した非定常状態においても、入口案内ベーン６−１の開度が迅速に最適開度に変更される結果、非定常状態においても、昇圧機６からガス化炉１への空気供給を安定して行うことができる。つまり、非定常状態においても、過不足なく昇圧機６からガス化炉１に最適量の空気を供給することができる。
【００５１】
なお上記実施例では、先行開度指令εとフィードバック開度指令βを加算した開度指令θにより入口案内ベーン６−１の開度を制御していたが、先行開度指令εのみで入口案内ベーン６−１の開度制御をするようにしてもよい。
ちなみに従来では、フィードバック開度指令βのみで、入口案内ベーン６−１の開度制御をしていた。
【図面の簡単な説明】
【００５２】
【図１】本発明の実施例を使用した、ガス化複合発電システムを示す構成図。
【図２】本発明の実施例１に使用する空気圧力制御器を示す制御ブロック図。
【図３】本発明の実施例２に使用する空気圧力制御器を示す制御ブロック図。
【図４】ガス化複合発電システムを示す構成図。
【符号の説明】
【００５３】
１  ガス化炉
２  空気供給弁
３  フィーダ
４  ガス精製設備
５  ガスタービン
５−１  燃焼器
５−２  空気圧縮機
５−３  タービン
６  昇圧機
６−１  入口案内ベーン(ＩＧＶ)
６−２  再循環配管
６−３  再循環弁
７  排ガス回収ボイラ
８  蒸気タービン
５１  入口温度計
５２  入口圧力計
５３  出口圧力計
６０  ガス化炉負荷指令器
１００，１００Ａ  空気圧力制御器
１０１  空気重量流量演算部
１０２  入口空気密度演算部
１０３  割算部
１０４  設定圧力演算部
１０５  割算部
１０６，１５０  先行開度演算司令部
１０７  偏差演算部
１０８  比例・積分演算部
１０９  加算部
ＧＩＤ  ガス化炉負荷指令
Ｔ１  入口温度
Ｐ１  入口圧力
Ｐ２  出口圧力
Ｐ３  設定圧力
Ｆ１  空気重量流量
Ｆ２  空気体積流量
Ｐ３／Ｐ１  昇圧機圧力比
α，ε  先行開度指令
β  フィードバック開度指令
γ  入口空気密度
θ  開度指令
【図１】
2007211705.tif 000003
【図２】
2007211705.tif 000004
【図３】
2007211705.tif 000005
【図４】
2007211705.tif 000006